(57)【要約】【課題】接続具同士が接触してショートが発生しない引込構造物、及び、該引込構造物で用いられるスペーサを提供する。【解決手段】スペーサ２は、各嵌挿孔を介してスペーサ２の一方の側から他方の側へ通されるケーブル３０ａ〜３０ｄを保持することにより、ケーブル３０ａ〜３０ｄに取り付けられている接続具８０ａ〜８０ｆが他方の側において互いに接触するのを防止している。そのため、この引込構造物１を用いると、接続具８０ａ〜８０ｆ同士が直接接触して、ショートすることを確実に防止することができる。【選択図】  図２
2004187447.tif 000002
【特許請求の範囲】
【請求項１】
地面に立設された中空状のポールと、
地中から前記ポールの中空部を通って、前記ポールの高さ方向に沿った側面に設けられた引出孔から外部に引き出された複数のケーブルと、
前記ポールと引込対象物との間に架線される複数の引込線と、
前記引込線の先端に接続代を残して、前記各引込線を前記ポールに固定する固定具と、
前記引出孔から引き出された前記各ケーブルの先端と前記各引込線の接続代の先端とを電気的に接続する複数の接続具と、
を備える引込構造物において、
前記接続具が互いに接触しないよう前記各ケーブルの先端あるいは前記各引込線の接続代の先端を離隔するスペーサを備えたことを特徴とする引込構造物。
【請求項２】
前記スペーサは、前記ポールに対し固定されていないことを特徴とする請求項１記載の引込構造物。
【請求項３】
前記スペーサは、前記ポールに固定されていることを特徴とする請求項１記載の引込構造物。
【請求項４】
請求項１〜３いずれか記載の引込構造物で用いられるスペーサであって、
前記ケーブルあるいは前記引込線を嵌挿する嵌挿孔が形成されており、前記嵌挿孔を介して前記スペーサの一方の側から他方の側へ通される前記ケーブルあるいは前記引込線を保持することにより、前記ケーブル及び前記引込線に取り付けられている前記接続具が前記他方の側において互いに接触するのを防止することを特徴とするスペーサ。
【請求項５】
請求項４記載のスペーサにおいて、
前記嵌挿孔は一列に形成されていることを特徴とするスペーサ。
【請求項６】
請求項４記載のスペーサにおいて、
前記嵌挿孔は千鳥に形成されていることを特徴とするスペーサ。
【請求項７】
請求項４〜６いずれか記載のスペーサにおいて、
他方の側で前記接続具が互いに接触しないよう前記ケーブルあるいは前記引込線を離隔可能な間隔毎に前記嵌挿孔を形成するリング状具を連結したことを特徴とするスペーサ。
【請求項８】
請求項４〜７いずれか記載のスペーサにおいて、
前記嵌挿孔の深さ方向に沿って、該嵌挿孔が開口するよう切り欠かれた切込部が前記各嵌挿孔に形成されていることを特徴とするスペーサ。
【発明の詳細な説明】
【０００１】
【発明の属する技術分野】
本発明は、地中に配線されたケーブルを地上に引き出して、その引き出したケーブルを引込線に接続し、その引込線を引込対象建造物との間に架線する引込構造物、及び、この引込構造物で用いられるスペーサに関する。
【０００２】
【従来の技術】
近年、配電線は、市街地や観光地等の景観の向上を図るため、ケーブルを用いて地中に配線されることが多くなっている。ただ、マンション等の一般の家屋等には、地中に埋設されたケーブルから電力を引き込む設備を持たないものが多い。そのため、このような場合には、地上にケーブルを引き出す引込構造物が建造物の近くに設置され、建造物と引込構造物との間に引込線が架線され、建造物はこの引込構造物から引込線を介してケーブルから電力を引き込んでいる。
【０００３】
この引込構造物１００は、具体的には、図８に示すように、地面に立設された中空状のポール１１０を備えており、地中に埋設されたケーブルは、そのポール１１０の中空部を通ってポール１１０の上部で外部に引き出される。また、ケーブルが外部に引き出される引出部１１８の上部には、引込線１４０、１４２をポール１１０と建造物との間に架線する固定具１１４、１１６が設置されており、引込線１４０、１４２は、先端の接続代１４１、１４３を残してこの固定具１１４、１１６に固定され、家屋との間に架線される。また、引出部１１８から引き出された各ケーブル１３０の先端と引込線１４０、１４２の接続代１４１、１４３の先端とは、これらを電気的に接続する複数の接続具１８０で接続される。
【０００４】
そして、この引込構造物１００では、各ケーブル１３０や引込線１４０、１４２の接続代１４１、１４３が引出部１１８等から単にぶら下げられているだけであり、風が吹くと揺れて接続具１８０同士が接触する恐れがあるので、各接続具１８０には絶縁用のカバーが取り付けられている。
【０００５】
【発明が解決しようとする課題】
しかし、各接続具１８０に取り付けられたカバーは、繰り返しぶつかると破れたり、あるいは、はずれたりすることがあり、そのためカバーを取り付けても接続具１８０同士が直接接触してショートする恐れがあった。
【０００６】
そこで、本発明では、接続具同士が接触してショートが発生しない引込構造物、及び、該引込構造物で用いられるスペーサを提供することを目的とする。
【０００７】
【課題を解決するための手段及び発明の効果】
上記目的を達するためになされた請求項１記載の発明は、地面に立設された中空状のポールと、地中から前記ポールの中空部を通って、前記ポールの高さ方向に沿った側面に設けられた引出孔から外部に引き出された複数のケーブルと、前記ポールと引込対象物との間に架線される複数の引込線と、前記引込線の先端に接続代を残して、前記各引込線を前記ポールに固定する固定具と、前記引出孔から引き出された前記各ケーブルの先端と前記各引込線の接続代の先端とを電気的に接続する複数の接続具と、を備える引込構造物において、前記接続具が互いに接触しないよう前記各ケーブルの先端あるいは前記各引込線の接続代の先端を離隔するスペーサを備えたことを特徴とする。本発明の引込構造物では、接続具が互いにぶつからないよう、スペーサによって離隔されている。そのため、本発明の引込構造物を用いると、接続具同士がぶつからないのでショートの発生を確実に防止することができる。
【０００８】
尚、引込構造物を安価に立てるため、請求項２記載の発明のように、スペーサを固定具等を用いるなどして、ポールに対し固定されていなくてもよいが、需用者が安心する形で電力を供給するため、請求項３記載の発明のように、スペーサを、ポールに固定してもよいことはもちろんである。
【０００９】
次に、請求項４記載の発明は、請求項１〜３いずれか記載の引込構造物で用いられるスペーサであって、前記ケーブルあるいは前記引込線を嵌挿する嵌挿孔が形成されており、前記嵌挿孔を介して前記スペーサの一方の側から他方の側へ通される前記ケーブルあるいは前記引込線を保持することにより、前記ケーブル及び前記引込線に取り付けられている前記接続具が前記他方の側において互いに接触するのを防止することを特徴とする。このスペーサを用いれば、所期の機能を備えた引込構造物を構成することができるので、上記引込構造物について述べた通りの作用・効果を奏することになる。
【００１０】
尚、嵌挿孔の配列方法については特に限定されないが、例えば、請求項５記載のスペーサのように、嵌挿孔は一列に形成されていてもよいし、請求項６記載のスペーサのように、嵌挿孔は千鳥に形成されていてもよい。
また、スペーサは、板に嵌挿孔を穿孔したものでもよいが、請求項７記載のように、他方の側で前記接続具が互いに接触しないよう前記ケーブルあるいは前記引込線を離隔可能な間隔毎に前記嵌挿孔を形成するリング状具を連結したものでもよい。
【００１１】
さらに、スペーサは、請求項８記載のように、前記嵌挿孔の深さ方向に沿って、該嵌挿孔が開口するよう切り欠かれた切込部が前記各嵌挿孔に形成されていてもよい。このスペーサは、切込部からケーブルあるいは引込線を嵌挿孔に嵌挿することができるので、ケーブルと引込線を接続した後でもケーブルあるいは引込線を嵌挿孔に嵌挿させることができる。
【００１２】
【発明の実施の形態】
以下、本発明が適用された実施形態について説明する。
尚、以下の説明で利用する図面のうち、図１は引込構造物の全体模式図である。
【００１３】
本実施形態の引込構造物１は、地面に立設された中空状のポール１０と、このポール１０を支えるコンクリート製のアンカー１２とを備えている。アンカー１２は、ポール１０の下端部に取り付けられ、土中に埋設される。このアンカー１２は自重とアンカー１０の周囲の土圧によって、風雨によってポール１０が倒れないようポール１０を立設可能な大きさに形成されている。
【００１４】
本実施形態で用いられる引込ケーブル３はケーブル電線（以下単に「ケーブル」という）の束であり、各ケーブルは地中に配線可能なように肉厚の絶縁被覆等が施されている。この引込ケーブル３は、共同溝５に配線された幹線ケーブルから保護チューブ５０を介して引込構造物１の下部まで導かれている。そして、この引込ケーブル３は、そのチューブ５０を出て地中を通りポール１０の下端からポール１０の中空部を通ってポール１０の上端部に導かれ、ポール１０の高さ方向側面に設けられた後述する引出孔から外部に引き出される。
【００１５】
本実施形態で用いられる引込線４は、ポール１０の上端部と家屋６（本発明の引込対象物に相当する）の例えば屋根の縁部との間に架線されるもので、架空配電線から家屋６に架線されるものと同じである。この引込線４は、ポール１０の上端部で固定されて、引出孔から引き出されたケーブル３と接続される一方で、家屋６の屋根等に固定されて、そこで家屋６の内線設備６０（図１中点線で示したもの）に接続される。
【００１６】
次に、本実施形態の引込構造物１について、図２を用いてより詳細に説明する。
ここで、図２は、図１の一部拡大図、具体的には、図１の円で囲った部分の拡大図であって、ケーブルをポールの上端部から引き出す部分の拡大図であり、ポールについては一部切断面で示している。
【００１７】
本実施形態の引込構造物１を構成するポール１０は、断面円筒状に形成された鉄製のポールである。このポール１０の中空部１０ａには、前述したように地中から引き込まれた引込ケーブル３が挿通されている。
このポール１０の上端近傍には電力用引込バンド１４が巻き付けられて固定されている。電力用引込バンド１４は外周面に引掛リング１４ａを備えており、この引掛リング１４ａが家屋６に向くようポール１０に巻回される。そして、この引掛リング１４ａにバインド線１４ｂを用いて碍子１４ｃが引っかけられている。そしてこの碍子１４ｃには、動力用の３本の引込線４０の先端が接続代４１ａ〜４１ｃを残して固定され、家屋６との間にこの複数の引込線４０が架線される。尚、電力用引込バンド１４、碍子１４ｃは本発明の固定具に相当する。
【００１８】
またこのポール１０の電力用引込バンド１４の下方には、電力用自在バンド１６が巻き付けらて固定されている。この電力用自在バンド１６は、バンドが形成する輪の大きさを調整可能な調整具１６ａを備えている点が、電力用引込バンド１４と異なる。また、この電力用自在バンド１６は、水平断面コ字状に形成された一対の碍子接続片１６ｂ、１６ｂを外周面に備えている。電力用自在バンド１６は、この碍子接続片１６ｂ、１６ｂが家屋６に向くようポール１０に巻回される。そして、この碍子接続片１６ｂ、１６ｂの先端には、碍子１６ｃが取り付けられている。この碍子１６ｃには、電灯用の３本の引込線４２の先端が接続代４３ａ〜４３ｃを残して固定され、家屋６との間にこの複数の引込線４２が架線される。尚、電力用自在バンド１６、碍子１６ｃは、本発明の固定具に相当する。
【００１９】
さらに、このポール１０に巻回された電力用自在バンド１４の下方であって、ポール１０の高さ方向側面には、ポール１０の中空部１０ａ内を挿通する引込ケーブル３を外部に引き出すための図示しない引出孔が形成されている。この引出孔には、樹脂製の導管１８が連結され、引込ケーブル３は、この導管１８に導かれ、その先端から外部に引き出される。
【００２０】
本実施形態で用いられる引込ケーブル３は４本のケーブルを束状にまとめたものである。引込ケーブル３は、導管１８から外部に導きだされると各ケーブル３０ａ〜３０ｄに分岐され、各ケーブル３０ａ〜３０ｄは、スペーサー２の後述する各嵌挿孔に嵌挿される。そして、嵌挿孔を抜けた各ケーブル３０ａ〜３０ｄの先端には、各ケーブル３０ａ〜３０ｄと各引込線４０、４２の接続代４１ａ〜４１ｃ、４３ａ〜４３ｃの先端とを接続する接続具８０ａ〜８０ｆが取り付けられる。
【００２１】
具体的には、各ケーブル３０ａ〜３０ｄのうち、Ｕ相の電力を電送するケーブル３０ａ（図２中左端）の先端には接続具８０ａが一つ取り付けられ、この接続具８０ａには、ヒューズ８２ａを備えるヒューズ線が８１ａが接続され、そのヒューズ線８１ａにスリーブ８３ａで接続された引込線４０の接続代の先端４１ａが接続される。
【００２２】
Ｖ相の電力を電送するケーブル３０ｂ（図２中左から２番目）の先端には２つの接続具８０ｂ、８０ｃが取り付けられ、このうち接続具８０ｂにはヒューズ８２ｂを備えるヒューズ線８１ｂが接続され、そのヒューズ線８１ｂにスリーブ８３ｂをを介して接続された引込線４０の接続代４１ｂの先端が接続される。また、接続具８０ｃにはヒューズ８２ｃを備えるヒューズ線８１ｃが接続され、そのヒューズ線８１ｃに接続具８５ａを介して接続された引込線４０の接続代４３ａの先端が接続される。
【００２３】
アース用のケーブル３０ｃ（図２中右から２番目）の先端には１つの接続具８０ｄが取り付けられ、この接続具８０ｄには、引込線４２の接続代の先端４３ｂが接続される。
Ｗ相の電力を電送するケーブル３０ｄ（図２中右端）の先端には２つの接続具８０ｅ、８０ｆが取り付けられ、このうち接続具８０ｅにはヒューズ８２ｄを備えるヒューズ線８１ｄが接続され、そのヒューズ線８１ｄに接続具８５ｂを介して接続された引込線４０の接続代４１ｃの先端が接続される。また、接続具８０ｆにはヒューズ８２ｅを備えるヒューズ線８１ｅが接続され、そのヒューズ線８１ｅに接続具８５ｃを介して接続された引込線４２の接続代４３ｃの先端が接続される。
【００２４】
また、各接続具８０ａ〜８０ｆ、８５ａ〜８５ｃ及びスリーブ８２ａ〜８２ｅには、絶縁用のカバーが取り付けられ、互いが接触したときにショートしないよう被覆されている。
次に、スペーサについて説明する。
【００２５】
ここで、図３は、引込構造物で用いられるスペーサの斜視図である。
このスペーサ２は、図３に示すように、樹脂の長尺状の板に各ケーブル３０ａ〜３０ｄが嵌挿可能な複数の嵌挿孔２０ａ〜２０ｄが、板の最も長尺な辺に沿って形成されたものである。
【００２６】
このスペーサ２は、各嵌挿孔２０ａ〜２０ｄを介してスペーサ２の一方の側から他方の側へ通されるケーブル３０ａ〜３０ｄを保持することにより、ケーブル３０ａ〜３０ｄに取り付けられている接続具８０ａ〜８０ｆが他方の側において互いに接触するのを防止している。
【００２７】
以上説明した本実施形態の引込構造物１では、接続具８０ａ〜８０ｆが互いにぶつからないよう、スペーサ２によって離隔されている。そのため、本実施形態の引込構造物１を用いると、接続具８０ａ〜８０ｆ同士がぶつからないのでショートの発生を確実に防止することができる。そのため、接続具８０ａ〜８０ｆに絶縁用のカバーを取り付けなくても、接続具８０ａ〜８０ｆ同士が接触してショートすることを確実に防止することができる。
【００２８】
最後に、本発明の実施の形態は、上記実施形態に何ら限定されるものではなく、本発明の技術的範囲に属する限り種々の形態を採り得ることはいうまでもない。
例えば、本実施形態では、スペーサ２を特にポール１０に固定しなかったが、需用者が安心する形で電力を供給するため、スペーサ２は、ポール１０に固定してもよいことはもちろんである。
【００２９】
また、本実施形態では、嵌挿孔２０ａ〜２０ｄが一列にならんで形成されているものについて説明したが、図４に示すように、千鳥に形成されていてもよく、また、嵌挿孔２０ａ〜２０ｄにケーブル３０ａ〜３０ｄを嵌挿するため、図５に示すように、嵌挿孔２０ａ〜２０ｄの深さ方向に沿って、この嵌挿孔２０ａ〜２０ｄが開口するよう切り欠かれた切込部２１ａ〜２１ｄを各嵌挿孔２０ａ〜２０ｄに形成してもよい。この切込部２１ａ〜２１ｄは、ケーブル３０ａ〜３０ｄよりやや小さめに形成されており、嵌挿孔２０ａ〜２０ｄに一度嵌挿すると切込部２１ａ〜２１ｄと嵌挿孔２０ａ〜２０ｄとの境目に、嵌挿孔２０ａ〜２０ｄが切込部２１ａ〜２１ｄよりもやや大きいことによってできる段差によって、ケーブル３０ａ〜３０ｄが抜け落ちないように形成されている。このスペーサ２を用いれば、引込構造物１を組み立ててしまった後でも、ケーブル３０ａ〜３０ｄを切込部２１ａ〜２１ｄから嵌挿孔２０ａ〜２０ｄに嵌挿することができる。
【００３０】
さらに、本実施形態では、スペーサ２として板材に嵌挿孔２０ａ〜２０ｄを形成したものについて説明したが、図６に示すように、嵌挿孔２０ａ〜２０ｄを形成する略フープ状の樹脂製リング状具２２ａ〜２２ｄを連結したものでもよい。また、本実施形態のスペーサ２は、図７に示すように、長尺状に形成された土台２６の上方に土台２６から所定間隔を開けて設置された略円筒状のリング状具２４ａ〜２４ｄを、土台２６の長さ方向に沿って並行に並べたものでもよい。この図７のスペーサ２のリング状具２４ａ〜２４ｄは、土台２６への取付側とは反対側に、切込部２１ａ〜２１ｄが形成され、その切込部２１ａ〜２１ｄを形成するリング状具２４ａ〜２４ｄの端部から略八の字状に外方に開いた導線具２５ａ〜２５ｄが形成されている。さらに、この図７のスペーサの導線具２５ａ〜２５ｄのうち、端部よりの導線具２５ａ及び２５ｄは土台２６の端部と連結され、導線具２５ｃよりの導線具２５ｂと、導線具２５ｂよりの導線具２５ｃも連結されている。この図７のスペーサ２を用いると、導線具２５ａ〜２５ｄにケーブル３０ａ〜３０ｄを押し当てれば導線具２５ａ〜２５ｄが開いて、切込部２１ａ〜２１ｄを開くので、ケーブル３０ａ〜３０ｄをリング状具２４ａ〜２４ｄが形成する嵌挿孔２０ａ〜２０ｄ内に挿入することができる。
【００３１】
尚、本実施形態で用いられたスペーサ２は、上述した引込構造物１以外にもケーブル等を離隔するスペーサとして用いてもよいことはもちろんである。
また、本実施形態では、引込構造物１として、４本のケーブル３０ａ〜３０ｄを束ねた引込ケーブル３を用いたものについて説明したが、引込ケーブル３については２本のケーブルを束ねたもの、あるいは５本、６本のケーブルを束ねたものなど、複数のケーブルを束ねたものでもよいことはもちろんである。その場合、本実施形態で用いられるスペーサ２としては、ケーブルの数に対応した嵌挿孔２０を備えるものを用いることが好ましい。
【図面の簡単な説明】
【図１】引込構造物の全体模式図である。
【図２】図１の一部拡大図、具体的には、図１の円で囲った部分の拡大図であって、ケーブルをポールの上部で中から引き出す部分の拡大図であり、ポールについては一部切断面で示している。
【図３】引込構造物で用いられるスペーサの斜視図である。
【図４】嵌挿孔が千鳥に形成されたスペーサの斜視図である。
【図５】嵌挿孔に切込部が設けられたスペーサの斜視図である。
【図６】リング状具で形成されたスペーサの斜視図である。
【図７】円筒状のリング状具で形成されたスペーサの斜視図である。
【図８】従来の引込構造物の模式図であって、ケーブルがポールから引き出された部分の拡大図である。
【符号の説明】
１…引込構造物、２…スペーサ、３…引込ケーブル、４、４０、４２…引込線、１０…ポール、１２…アンカー、２０ａ〜２０ｄ…嵌挿孔、２１ａ〜２１ｄ…切込部、３０ａ〜３０ｄ…ケーブル、４１ａ〜４１ｃ、４３ａ〜４３ｃ…接続代、８０ａ〜８０ｆ…接続具
【図１】
2004187447.tif 000003
【図２】
2004187447.tif 000004
【図３】
2004187447.tif 000005
【図４】
2004187447.tif 000006
【図５】
2004187447.tif 000007
【図６】
2004187447.tif 000008
【図７】
2004187447.tif 000009
【図８】
2004187447.tif 000010